(57)【要約】【課題】  呼制御サーバを経由した呼制御手順と、呼制御サーバを経由しない呼制御手順を有するインターネット電話において、「ワンギリ」のような悪意の通信要求に対して、その着信経路に応じた対策を採る。【解決手段】  各端末装置２〜４は、ネットワーク１を介して通信を行うために用いる送受信制御部１１と、送受信制御部１１からの情報を解析してインターネット電話サービスの開始，終了を制御する通話制御部１２と、既知の発信者や中継者の識別情報を登録しておくユーザテーブル１３と、通信を希望しようとする相手が悪意の端末装置５なのかを識別するために用いるフィルタテーブル１４と、ユーザテーブル１３において悪意の端末装置５からの着信である疑いがもたれた場合に通話制御部１２の動作を一定時間保留させるためのタイマ１５と、通話制御部１２からの指示により着呼を通知するために用いるトーンリンガ１６を備えている。【選択図】図１
2005260456.tif 000002
【特許請求の範囲】
【請求項１】
既知の発信者もしくは中継者の識別情報を登録するユーザテーブルと、
未知の発信者の識別情報を登録するフィルタテーブルと、
呼接続要求の受信時間を計測するタイマと、
呼接続要求に伴って到着した発信者の識別情報を検出する検出部と、
前記ユーザテーブルに登録された発信者もしくは中継者の呼接続要求を受信した場合には、直ちにトーンリンガを鳴動させ、前記ユーザテーブルに登録されていない未知の発信者の呼接続要求を受信した場合には、呼接続要求の到着直後、前記タイマによって計測した一定時間内に接続要求を取り消す信号が到着しない場合にトーンリンガを鳴動させる通話制御部と、
呼接続要求の到着直後、前記タイマによって計測した一定時間内に接続要求を取り消す信号が到着した際、前記検出部において検出された発信者の識別情報を、前記フィルタテーブルに登録するフィルタ情報書込部と、
を備えたことを特徴とするインターネット電話の端末装置。
【請求項２】
前記通話制御部が、
前記フィルタテーブルに登録されていない発信者の呼接続要求を受信した場合には、呼接続要求の到着直後前記タイマによって計測した一定時間内に接続要求を取り消す信号が到着しない場合にトーンリンガを鳴動させるものであり、
前記フィルタテーブルに登録された発信者の呼接続要求を受信した場合には、トーンリンガを鳴動させないか、あるいは呼接続要求の到着直後前記タイマによって計測した一定時間内に接続要求を取り消す信号が到着しない場合にトーンリンガを鳴動させるものであることを特徴とする請求項１に記載のインターネット電話の端末装置。
【請求項３】
前記通話制御部が、前記フィルタテーブルに登録された発信者の呼接続要求を受信した場合に、呼接続要求の到着直後前記タイマによって計測した一定時間経過後にトーンリンガを鳴動させるものであり、かつ、その一定時間が、前記フィルタテーブルに登録されていない発信者の呼接続要求を受信した場合に、呼接続要求の到着直後前記タイマによって計測した一定時間経過後にトーンリンガを鳴動させる場合の時間よりも長く設定されていることを特徴とする請求項２に記載のインターネット電話の端末装置。
【請求項４】
前記端末装置が、着信履歴の記録部を備え、
前記通話制御部が、呼接続要求の到着直後、前記タイマによって計測した一定時間内に接続要求を取り消す信号が到着した際、着信履歴の記録部から着信に関する情報を削除することを特徴とする請求項１または請求項２に記載のインターネット電話の端末装置。
【請求項５】
前記フィルタテーブルに登録された発信者側の識別情報を、あらかじめ登録されたネットワーク上のサーバに送信する送受信制御部を有することを特徴とする請求項１または請求項２に記載のインターネット電話の端末装置。
【請求項６】
他の端末もしくはサーバ上に設けられたフィルタテーブルに登録されている発信者識別情報をネットワークを介して受信する送受信制御部を備え、
前記フィルタ情報書込部が、前記送受信制御部が受信した発信者識別情報を自己のフィルタテーブルに書き込むものであることを特徴とする請求項１、請求項２または請求項３に記載のインターネット電話の端末装置。
【請求項７】
ネットワークを介して複数のインターネット電話端末装置と接続されたサーバであって、
監視対象となる発信者の識別情報を登録するフィルタテーブルと、
前記複数の端末装置のそれぞれに設けられたフィルタテーブルに登録された発信者側の識別情報を受信して集計し、事前に設定された値を上回る発信者についてその識別情報を新たな監視対象としてフィルタテーブルに登録する監視対象書込部と、
書き込まれた監視対象となる発信者の識別情報を端末装置に送信する送受信制御部を有することを特徴とするインターネット電話のサーバ。
【発明の詳細な説明】
【技術分野】
【０００１】
本発明はインターネットを介した電話サービスに関するもので、特に、「ワンギリ」と呼ばれような不特定多数に発信を行う事業者からの着信に関して識別を行い、その着信状態を制御することにより、サービス品質の向上を可能としたインターネット電話の端末装置とサーバに関する。
【０００２】
なお、本発明において、インターネット電話とは、ＩＰ（Internet Protocol）電話のうちＷＷＷ等のアプリケーションに利用されているものと同じＩＰネットワーク（インターネット）を利用するものに限らず、ネットワークの一部または全部においてＩＰネットワーク技術を利用した電話サービス全般（たとえば、通信事業者や企業が独自に構築したＩＰネットワークを使用するもの）を含むものとする。
【背景技術】
【０００３】
「ワンギリ」とは、電話の発信者番号通知を悪用したもので、発番号通知状態で発呼を行い、ワンコールで切断するものである。この場合、着信者のもとに着信履歴が残るため、着信者が発信者に対してコールバックを行うと、発信者から「情報提供料」名目で金銭を強要される。
【０００４】
この場合、着信者が、仮にコールバックを行ったとしても、契約行為は成立していないので、情報提供料を支払う必要は全く無いが、悪意の発信者は、コールバックした着信者から様々な手段で個人情報を取得して、契約が成立しているように詐称しようとする。
【０００５】
ワンギリは、ワンコールで切断する動作を不特定多数に対して行うため、交換機に多大な負荷が生じ、場合によってはダウンすることもあるため、現時点では同一電話番号からの単位時間発信量を制限することにより対応しているが、ワンギリ自体はなくなっていない。
【０００６】
しかし、従来のインターネット電話では、その動作のメカニズム上、交換機に相当する呼制御サーバを経由しない呼制御手順（Peer to Peer）を持ち、サービス提供事業者からの管理外となる通信が存在し得るため、このような交換機による制御では「ワンギリ」を効果的に防止できなかった。
【０００７】
また、最近では、特許文献１や特許文献２に記載の技術のように、交換機自体ではなく、電話機そのものについても「ワンギリ」を判断する手法を持たせた提案もなされている。すなわち、電話機に着信タイマを設けて、呼出から一定時間内はリンガ（呼出音）の鳴動を保留しておき、その間に呼出が中止された場合に、これを「ワンギリ」と判断して着信履歴の表示を停止させたり、その電話番号からのその後の呼出を接続しない提案がなされている。
【特許文献１】特開２００３−２９８７２６号公報
【特許文献２】特開２００３−２４９９９５号公報
【０００８】
しかし、この技術も、電話機単独で対処するものであるため、「ワンギリ」以外の着信に対してもタイマによる判定を行うため、善意の着信に対しては呼出音の鳴動を遅らせる分だけ不要な待ち時間を強いることになる欠点があった。また、この従来技術では、電話機が判断した「ワンギリ」に関する情報がその電話機の利用者のみに止まり、多くの着信者が「ワンギリ」の被害に遭っていても、インターネット電話の事業者が把握できない問題もあった。
【発明の開示】
【発明が解決しようとする課題】
【０００９】
以上のように、インターネット電話では端末相互間による呼制御で通信を行うことが可能であるため、固定電話などにおいて交換機や個々の電話機で対応していた従来技術では、インターネット電話サービスを提供する事業者が悪意を持った端末利用者からの通信要求に対処できなった。
【００１０】
本発明は前記のような従来技術の問題点を解決するために提案されたものであって、その目的は、交換機に相当する呼制御サーバを経由した呼制御手順と、呼制御サーバを経由しない呼制御手順を有するインターネット電話において、「ワンギリ」のような悪意の通信要求に対しても、その着信経路に応じた対策を採ることにより、端末側でもまた呼制御サーバ側でも対応が可能なインターネット電話の端末装置とサーバを提供することにある。
【課題を解決するための手段】
【００１１】
請求項１の発明は、インターネット電話の端末装置において、既知の発信者もしくは中継者の識別情報を登録するユーザテーブルと、未知の発信者の識別情報を登録するフィルタテーブルと、呼接続要求の受信時間を計測するタイマと、呼接続要求に伴って到着した発信者の識別情報を検出する検出部と、前記ユーザテーブルに登録された発信者もしくは中継者の呼接続要求を受信した場合には、直ちにトーンリンガを鳴動させ、前記ユーザテーブルに登録されていない未知の発信者の呼接続要求を受信した場合には、呼接続要求の到着直後、前記タイマによって計測した一定時間内に接続要求を取り消す信号が到着しない場合にトーンリンガを鳴動させる通話制御部と、呼接続要求の到着直後、前記タイマによって計測した一定時間内に接続要求を取り消す信号が到着した際、前記検出部において検出された発信者の識別情報を、前記フィルタテーブルに登録するフィルタ情報書込部と、を備えたことを特徴とする。
【００１２】
このような構成を有する請求項１の発明によれば、ユーザテーブルに登録された既知の発信者もしくは中継者からの呼接続要求に対しては、直ちにトーンリンガを鳴動させることにより、迅速な呼出が可能となる。一方、未知の発信者からの呼接続要求に対しては、タイマによって計測した一定時間内に接続要求を取り消す信号が到着しない場合にトーンリンガを鳴動させることで、正常な呼出と「ワンギリ」とを区別することができる。そして、「ワンギリ」の呼出があった場合には、その発信者の識別情報を端末のフィルタテーブルに登録することで、その後同一の発信者からの接続要求に対して、トーンリンガを鳴動させないとか、鳴動まで所定の待ち時間を確保するなどの処置を執ることが可能になる。
【００１３】
請求項２の発明は、請求項１に記載のインターネットの端末装置において、前記通話制御部が、前記フィルタテーブルに登録されていない発信者の呼接続要求を受信した場合には、呼接続要求の到着直後前記タイマによって計測した一定時間内に接続要求を取り消す信号が到着しない場合にトーンリンガを鳴動させるものであり、前記フィルタテーブルに登録された発信者の呼接続要求を受信した場合には、トーンリンガを鳴動させないか、あるいは呼接続要求の到着直後前記タイマによって計測した一定時間内に接続要求を取り消す信号が到着しない場合にトーンリンガを鳴動させるものであることを特徴とする。
【００１４】
このような構成を有する請求項２の発明によれば、フィルタテーブルに対する発信者の識別情報の登録の有無に応じて、トーンリンガ鳴動の対応を変えることが可能になるので、フィルタテーブルに登録されている「ワンギリ」の可能性の高い発信者に対してより高度の安全対策を採ることが可能になる。
【００１５】
請求項３の発明は、請求項２に記載のインターネット電話の端末装置において、前記通話制御部が、前記フィルタテーブルに登録された発信者の呼接続要求を受信した場合に、呼接続要求の到着直後前記タイマによって計測した一定時間経過後にトーンリンガを鳴動させるものであり、かつ、その一定時間が、前記フィルタテーブルに登録されていない発信者の呼接続要求を受信した場合に、呼接続要求の到着直後前記タイマによって計測した一定時間経過後にトーンリンガを鳴動させる場合の時間よりも長く設定されていることを特徴とする。
【００１６】
このような構成を有する請求項３の発明によれば、フィルタテーブルに登録されている「ワンギリ」の可能性の高い発信者に対しては、より長い時間トーンリンガの鳴動を抑止することにより、フィルタテーブルに登録されていない「ワンギリ」の可能性の低い善意の発信者に対して長い待ち時間を与えることがなくなる。
【００１７】
請求項４の発明は、請求項１または請求項２に記載のインターネット電話の端末装置において、着信履歴の記録部を備え、前記通話制御部が、呼接続要求の到着直後、前記タイマによって計測した一定時間内に接続要求を取り消す信号が到着した際、着信履歴の記録部から着信に関する情報を削除することを特徴とする。
【００１８】
このような構成を有する請求項４の発明によれば、「ワンギリ」があったことを端末装置の着信者に告知することがなくなるので、「ワンギリ」を受けたという着信者の不快感が解消されると共に、「ワンギリ」電話に対する着信者のコールバックを確実に防止できる。
【００１９】
請求項５の発明は、請求項１または請求項２に記載のインターネット電話の端末装置において、前記フィルタテーブルに登録された発信者側の識別情報を、あらかじめ登録されたネットワーク上のサーバに送信する送受信制御部を有することを特徴とする。
【００２０】
このような構成を有する請求項５の発明によれば、各端末装置で収集された「ワンギリ」を行った発信者の識別情報がサーバに集約されるので、サーバを中継者とする接続要求に当たって、サーバがこの情報を利用して「ワンギリ」と思われる発信者の接続要求をサーバ部分で遮断することが可能になる。
【００２１】
請求項６の発明は、請求項１、請求項２または請求項３に記載のインターネット電話の端末装置において、他の端末もしくはサーバ上に設けられたフィルタテーブルに登録されている発信者識別情報をネットワークを介して受信する送受信制御部を備え、前記フィルタ情報書込部が、前記送受信制御部が受信した発信者識別情報を自己のフィルタテーブルに書き込むものであることを特徴とする。
【００２２】
このような構成を有する請求項６の発明によれば、サーバ上や他の端末に記録されている「ワンギリ」を行った発信者の識別情報を、自己のフィルタテーブルの情報として利用することが可能になり、自己の端末には初めての呼接続要求であっても、「ワンギリ」か否かの判別を行うことが可能になる。
【００２３】
請求項７の発明は、ネットワークを介して複数のインターネット電話端末装置と接続されたサーバであって、監視対象となる発信者の識別情報を登録するフィルタテーブルと、前記複数の端末装置のそれぞれに設けられたフィルタテーブルに登録された発信者側の識別情報を受信して集計し、事前に設定された値を上回る発信者についてその識別情報を新たな監視対象としてフィルタテーブルに登録する監視対象書込部と、書き込まれた監視対象となる発信者の識別情報を端末装置に送信する送受信制御部を有することを特徴とする。
【００２４】
このような構成を有する請求項７の発明によれば、複数の端末によって「ワンギリ」と認定された発信者の識別情報をサーバにおいて取得することが可能になるので、サーバ上で「ワンギリ」の可能性の高い発信者からの呼接続要求を遮断したり、個々の端末に対して「ワンギリ」と認定された発信者の識別情報を通知することが可能になる。その結果、サーバを中継者としない呼接続要求であっても、個々の端末側で遮断することが可能になる。
【発明の効果】
【００２５】
本発明によれば、この発明を利用することにより、固定電話では交換機が対応していた悪意の通信要求に対し、利用者側の端末において対応を行うと供に、サービス提供事業者が補助することにより、適切な制限を加え、善意の端末利用者に対するサービス品質の向上を行うことが可能となるという効果を持つ。
【発明を実施するための最良の形態】
【００２６】
（１）実施の形態の構成…図１
本発明の実施の形態の構成を、図面にしたがって具体的に説明する。
図１は、本発明のインターネット電話の端末およびサーバによって構成されるインターネット電話システムの一例を示すネットワーク図である。本実施の形態において、ネットワーク１には、交換機として動作するインターネット電話サービスサーバ２と、複数の端末装置３〜５の接続されている。このうち、端末装置３を着信者、端末装置４を善意の発信者、端末装置５を「ワンギリ」などを行う悪意の発信者とする。また、前記サーバ２としては、一例として、プロキシサーバとしての機能を果たすＳＩＰ（Session Initiation Protocol）サーバが使用されるが、本発明のインターネット電話はこれに限らず他のシグナリングプロトコルを利用したサーバの利用も可能である。
【００２７】
各端末装置２〜４は、ネットワーク１を介して通信を行うために用いる送受信制御部１１と、送受信制御部１１からの情報を解析してインターネット電話サービスの開始，終了を制御する通話制御部１２と、着信者にとって既知の発信者や中継者の識別情報を登録しておくユーザテーブル１３と、通信を希望しようとする相手が「ワンギリ」などを行おうとする悪意のインターネット電話端末装置５なのかを識別するために用いるフィルタテーブル１４と、ユーザテーブル１３において悪意のインターネット電話端末装置５からの着信である疑いがもたれた場合に通話制御部１２の動作を一定時間（たとえば、２〜３秒間）保留させるためのタイマ１５と、通話制御部１２からの指示により着呼を通知するために用いるトーンリンガ１６を備えている。
【００２８】
前記通話制御部１２は、前記ユーザテーブル１３に登録された発信者もしくは中継者の呼接続要求を受信した場合には、直ちにトーンリンガ１６を鳴動させ、前記ユーザテーブル１３に登録されていない未知の発信者の呼接続要求を受信した場合には、呼接続要求の到着直後、前記タイマ１５によって計測した一定時間内に接続要求を取り消す信号が到着しない場合にトーンリンガ１６を鳴動させるように構成されている。
【００２９】
また、前記通話制御部１２は、前記フィルタテーブル１４に登録されていない発信者の呼接続要求を受信した場合には、呼接続要求の到着直後前記タイマによって計測した一定時間（たとえば、５秒間）内に接続要求を取り消す信号が到着しない場合にトーンリンガ１６を鳴動させ、前記フィルタテーブル１４に登録された発信者の呼接続要求を受信した場合には、呼接続要求の到着直後前記タイマ１５によって計測した一定時間内に接続要求を取り消す信号が到着しない場合にトーンリンガ１６を鳴動させるように構成されている。
【００３０】
この場合、本実施の形態においては、トーンリンガ１６を鳴動させるまでの待ち時間（たとえば、５秒間）が、前記フィルタテーブルに登録されていない発信者の呼接続要求を受信した場合に、呼接続要求の到着直後前記タイマによって計測した一定時間経過後にトーンリンガを鳴動させる場合の時間（たとえば、２〜３秒間）よりも長く設定されている。
なお、この場合、前記通話制御部１２をトーンリンガ１６をまったく鳴動させないように構成することも可能である。
【００３１】
各端末装置２〜４は、呼接続要求に伴って到着した発信者の識別情報を検出する検出部１７と、呼接続要求の到着直後、前記タイマによって計測した一定時間内に接続要求を取り消す信号が到着した際、前記検出部において検出された発信者の識別情報を、前記フィルタテーブル１４に登録するフィルタ情報書込部１８を備えている。なお、この発信者の識別情報を検出する検出部１７は、前記通話制御部１２が送受信制御部１１からの情報を解析してインターネット電話サービスの開始，終了を制御する際に使用する発信者の識別情報をそのまま利用することにより、前記通話制御部１２と一体に設けるものでも良い。
【００３２】
前記送受信制御部１１は、フィルタテーブル１４に登録された発信者側の識別情報を、インターネット電話サービスサーバ２に送信すると共に、他の端末４，５もしくはインターネット電話サービスサーバ２上に設けられたフィルタテーブル１４，２２に登録されている発信者識別情報をネットワーク１を介して受信するものである。また、前記フィルタ情報書込部１８は、「ワンギリ」行為があった場合、その発信者の識別情報を自己のフィルタテーブル１４に書き込むものである。
【００３３】
前記インターネット電話サービスサーバ２は、通常のインターネット電話の交換機としての機能を備えているとともに、前記複数の端末装置３〜５のそれぞれに設けられたフィルタテーブル１４に登録された発信者側の識別情報を受信する送受信制御部２１と、監視対象となる発信者の識別情報を登録するマスターフィルタテーブル２２と、前記送受信制御部２１を介して受信された各端末装置３〜５からの監視対象となる発信者の識別情報を集計して一時的に蓄積するカレントテーブル２３を備えている。
【００３４】
また、前記インターネット電話サービスサーバ２は、前記カレントテーブル２３における集計値が事前に設定された値を上回る発信者についてその識別情報を新たな監視対象としてマスターフィルタテーブル２２に登録する監視対象書込部２４と、前記カレントテーブル２３における集計値が事前に設定された値を一定時間（一日とか１ヶ月のように「ワンギリ」行為と判定できる時間）下回っていることを検出して、カレントテーブル２３に集計された監視対象となる発信者の識別情報（フィルタ情報）を消去するためのタイマカウンタ２５を備えている。また、前記送受信制御部２１は、マスターフィルタテーブル２２に書き込まれた監視対象となる発信者の識別情報を、各端末装置３〜５に送信する機能も有する。
【００３５】
（２）端末装置の作用…図２
（２−１）善意の発信者からのサーバを中継した着信
インターネット電話サービスに利用する着信者の端末装置３に対して、ネットワーク１を介してサービス開始要求を示す着信があった場合において（ステップ１）、要求が善意のインターネット端末装置４からであれば、通常、着信はインターネット電話サービスを提供するインターネット電話サービスサーバ２を中継して到着する。そして、通常はインターネット電話サービスに加入した時点で、このサーバ２の識別情報が着信者端末装置３のユーザテーブル１３に登録されている。
【００３６】
そこで、送受信制御部１１で到着が確認された情報に基づいて、通話制御部１２において必要となるＩＰアドレス情報を抽出すると、このＩＰアドレス情報は、ユーザテーブル１３に格納された正当なサーバであるインターネット電話サービスサーバ２のＩＰアドレス登録情報であると確認される（ステップ２のＹＥＳ）。そこで、通話制御部１２は、直ちにトーンリンガ１６を鳴動させ利用者に対し着信を通知する（ステップ１０）。
【００３７】
（２−２）既知の善意の発信者からのダイレクト着信
インターネット電話サービスに利用する着信者の端末装置３に対して、ネットワーク１を介してサービス開始要求を示す着信があった場合において、要求が善意のインターネット端末装置４からであり、かつ、直接行われたものである際には、送受信制御部１１で到着が確認された情報から発信者側の電話番号など必要な情報を通話制御部１２において抽出する（ステップ１）。
【００３８】
この抽出された情報を、ユーザテーブル１３に格納された登録情報と比較することにより、既知の相手かどうかが確認可能となり、既知の相手であれば（ステップ２のＹＥＳ）、直ちにトーンリンガ１６を鳴動させ利用者に対し着信を通知する（ステップ１０）。
【００３９】
（２−３）未知の善意の発信者からのダイレクト着信
インターネット電話サービスに利用する着信者の端末装置３に対して、ネットワーク１を介してサービス開始要求を示す着信があった場合において、要求がインターネット端末装置４からであり、かつ、直接行われたものである際には、送受信制御部１１で到着が確認された情報から発信者側の電話番号など必要な情報を通話制御部１２において抽出する（ステップ１）。
【００４０】
この抽出された情報を、ユーザテーブル１３に格納された登録情報と比較することにより、既知の相手かどうかが確認可能となり、確認した際に未知の相手であった場合（ステップ２のＮＯ）、検出した相手先を示す電話番号などをフィルタテーブル１４で参照し、未登録であれば（ステップ３のＮＯ）、あらかじめタイマ１５に指定された時間分待機を行い、その間にキャンセル情報が到着しない場合、トーンリンガ１６を鳴動させ利用者に対し着信を通知する（ステップ１０）。
【００４１】
（２−４）フィルタテーブルに未登録の未知の悪意の発信者からのダイレクト着信
インターネット電話サービスに利用する着信者の端末装置３に対して、ネットワーク１を介してサービス開始要求を示す着信があった場合において、要求が悪意のインターネット電話端末装置５からであり、かつ、直接行われたものである際には、送受信制御部１１で到着が確認された情報から発信者側の電話番号など必要な情報を通話制御部１２において抽出し（ステップ１）、ユーザテーブル１３に格納された登録情報により既知の相手かどうかを確認した際に未知の相手であった場合（ステップ２のＮＯ）、相手先を示す電話番号などをフィルタテーブル１４で参照し、未登録であれば（ステップ３のＮＯ）あらかじめタイマ１５に指定された時間分待機を行う（ステップ４）。
【００４２】
この場合、発信者が悪意であり、着信がコールバックを目的とした通称「ワンギリ」と呼ばれる行為であるため、着信情報到着直後にキャンセル情報が送受信制御部１１に到着することになる（ステップ６のＹＥＳ）。通話制御部１２ではタイマ１５の満了前にキャンセル情報が到着した場合、到着情報の廃棄を行い、トーンリンガ１６を鳴動させないことによって着信を着信者に通知しない。そして、この場合には、フィルタテーブルに未登録の発信者であるため（ステップ７のＮＯ）、悪意の発信者の識別情報をフィルタテーブル１４に登録を行い（ステップ８）、さらに、この悪意の発信者の識別情報を送受信制御部１１を用いてインターネットサービスサーバ２に送信し、カレントテーブル２３に対する登録動作を行う。
【００４３】
（２−５）フィルタテーブルに登録済みの未知の悪意の発信者からのダイレクト着信
インターネット電話サービスに利用する着信者の端末装置３に対して、ネットワーク１を介してサービス開始要求を示す着信があった場合において、要求が悪意のインターネット電話端末装置５からであり、かつ、直接行われたものである際には、送受信制御部１１で到着が確認された情報から発信者側の電話番号など必要な情報を通話制御部１２において抽出する（ステップ１）。
【００４４】
そして、ユーザテーブル１３に格納された登録情報により既知の相手かどうかを確認した際に未知の相手であった場合（ステップ２のＮＯ）、検出した相手先を示す電話番号などをフィルタテーブル１４で参照し、登録情報が存在すれば（ステップ３のＹＥＳ）そこに示された待機時間（たとえば５秒間）をタイマ１５に指定し、待機を行う（ステップ５）。
【００４５】
この場合、着信がコールバックを目的とした通称「ワンギリ」と呼ばれる行為であるため、着信情報到着直後にキャンセル情報が送受信制御部１１に到着することになる。そのため、通話制御部１２ではタイマ１５満了前にキャンセル情報が到着した場合（ステップ６のＹＥＳ）、到着情報の廃棄を行い、トーンリンガ１６を鳴動させないことによって着信を利用者に通知しない。また、悪意の発信者の識別情報はすでにフィルタテーブル１４に登録されているため（ステップ７のＹＥＳ）、フィルタテーブル１４に対する登録処理は行わず、待機状態に戻る。
【００４６】
（３）サーバ２側の動作…図３
インターネット電話サービスを提供するインターネット電話サービスサーバ２に、おいて、インターネット電話端末装置３から、「ワンギリ」行為と目される着信の存在ならびに発信者側の情報について、送受信制御部２１に通知があった場合（ステップ１）、カレントテーブル２３に登録を行う（ステップ２）。
【００４７】
次いで、カレントテーブル２３における同一番号の登録数を確認し、総数があらかじめ指定されている値を上回っている場合（ステップ３のＹＥＳ）、ワンギリ事業者からのものであると判断し、マスタフィルタテーブル２２に登録を行う（ステップ４）と共に、その発信者情報並びに登録数をカレントテーブル２３から消去する（ステップ５）。
【００４８】
一方、カレントテーブル２３に対する同一番号の登録数が指定されている値を下回る場合では（ステップ３のＮＯ）、その発信者に関する情報をタイマカウンタ２４が満了するまで（たとえば１ヶ月間）保持し、所定の期間が経過した後は（ステップ６のＹＥＳ）、カレントテーブル２３からその発信者に対する情報や登録数の消去を行う（ステップ５）。
【００４９】
このようにして、マスタフィルタテーブル２２に登録された発信者からの接続要求に対しては、ワンギリ事業者からの接続要求であると判断して、接続を拒否するなどの対策を採ることになる。また、マスタフィルタテーブル２２に登録されたワンギリ事業者などのデータは、たとえば、各端末装置３〜５からそのフィルタテーブル１４に登録した悪意の発信者の識別情報を受信した時のような一定のタイミングで（ステップ７のＹＥＳ）、各端末装置３〜５に送信される（ステップ８）。
【００５０】
（４）他の実施の形態
本発明は、前記の実施の形態に限定されるものではなく、次のような実施の形態も包含する。
【００５１】
(a) サーバ２を経由した呼接続要求について、前記の実施の形態はユーザテーブル１３に登録された既知の発信者であるとして直ちにトーンリンガ１６を鳴動させたが、ユーザテーブル１３には発信者の識別情報のみを記録しておき、中継者であるサーバ２の識別情報を登録しない構成とすることもできる。その場合、サーバ２による中継の有無に関わらず、発信者の識別情報がユーザテーブル１３にない場合には、次のフィルタテーブル１４における登録の有無を判別して、待機時間の長短の選択などの処理を異ならせることができる。
【００５２】
(b) 前記の実施の形態では、図２のフローチャートにおいて、ユーザテーブル１３による識別をフィルタテーブル１４による識別よりも先に行ったが、図４のようにフィルタテーブル１４による識別を先に行うこともできる。その場合、フィルタテーブル１４の登録の有無にかかわらず、トーンリンガ１６の待機時間を同じものとすることも可能である。
【００５３】
(c) 各端末装置３〜５とサーバ２間のフィルタデータの送受信は、一定時間ごとに自動的に降るの交換を行っても良いし、各端末がフィルタテーブル１４のデータを書き換えるタイミングごとに実行しても良い。
【図面の簡単な説明】
【００５４】
【図１】本発明の代表的な実施の形態の構成を示すブロック図。
【図２】本発明の代表的な実施の形態における端末装置の動作を示すフローチャート。
【図３】本発明の代表的な実施の形態におけるサーバの動作を示すフローチャート。
【図４】本発明の他の実施の形態の動作を示すフローチャート。
【符号の説明】
【００５５】
１…インターネット
２…インターネット電話サービスサーバ
３…着信者の端末装置
４…善意の発信者の端末装置
５…悪意の発信者の端末装置
１１…送受信制御部
１２…通話制御部
１３…ユーザテーブル
１４…フィルタテーブル
１５…タイマ
１６…トーンリンガ
１７…発信者の識別情報検出部
１８…フィルタ情報書込部
２１…送受信制御部
２２…マスターフィルタテーブル
２３…カレントテーブル
２４…監視対象書込部
２５…タイマカウンタ
【図１】
2005260456.tif 000003
【図２】
2005260456.tif 000004
【図３】
2005260456.tif 000005
【図４】
2005260456.tif 000006